(57)【要約】【課題】高品質で、高速移動中でも無線通信の切断を防止可能な移動無線通信システムを提供する。【解決手段】ＲＮＣ３００の格納部で組端末管理情報を格納することで、複数のＵＥを一組として識別し管理し、ＲＮＣ３００の制御部は、同一組に属するＵＥ（例えば、ＵＥ１００−１、１００−２）がノードＢ２００−１、２００−２、…、２００−ｍが形成するセルのうち、異なるセルに接続するように制御する。これによって、同一組に属する複数のＵＥを用いた多重化通信が可能になり、高速移動時に同一組に属するＵＥの回線が同時に切断されることが防止される。【選択図】  図１
2006101253.tif 000002
【特許請求の範囲】
【請求項１】
移動無線通信システムにおいて、
一組として同じく移動する複数の移動端末装置と、
複数の無線基地局装置と、
複数の前記移動端末装置を一組として識別し管理するための組端末管理情報を格納する格納部と、同一組に属する前記移動端末装置が、それぞれ異なる無線ゾーンに接続するように制御する制御部と、を具備した無線ネットワーク制御装置、
を有することを特徴とする移動無線通信システム。
【請求項２】
組となる複数の前記移動端末装置は、前記組であることを示す組端末情報を格納し、前記組端末情報を前記無線ネットワーク制御装置に通知し、前記無線ネットワーク制御装置は、前記組端末情報をもとに前記組端末管理情報を生成することを特徴とする請求項１記載の移動無線通信システム。
【請求項３】
無線回線網と一般回線交換網の接続ノードである交換局装置を更に有し、
前記交換局装置は、組となる複数の前記移動端末装置が前記組であることを示す組端末情報を格納し、前記組端末情報を前記無線ネットワーク制御装置に通知し、前記無線ネットワーク制御装置は、前記組端末情報をもとに前記組端末管理情報を生成することを特徴とする請求項１記載の移動無線通信システム。
【請求項４】
前記無線ネットワーク制御装置において、前記組端末管理情報は、前記組となる複数の前記移動端末装置がそれぞれ接続する前記無線ゾーンの接続先無線ゾーン情報を有し、
前記制御部は、同一組に属する前記移動端末装置同士の前記接続先無線ゾーン情報が同一であれば、前記移動端末装置へ通知すべき前記移動端末装置周辺の無線ゾーン情報を互いに異なるものとすることを特徴する請求項１記載の移動無線通信システム。
【請求項５】
複数の呼接続を可能とする移動端末装置からの複数の回線接続を１つの回線として識別し、該移動端末装置の一方の回線接続をハンドオーバしている間、他方の回線接続をハンドオーバさせずに回線接続した状態にすることを特徴とする無線ネットワーク制御装置。
【発明の詳細な説明】
【技術分野】
【０００１】
本発明は移動無線通信システムに関し、特にＣＤＭＡ（Code Division Multiple Access）方式を用いた移動無線通信システムに関する。
【背景技術】
【０００２】
ＣＤＭＡ方式は、同帯域で多くの端末を収容でき、通話品質が高いことや通話の秘匿性が高いことなどから、無線インターフェースに用いられる代表的な移動無線通信方式となってきている。
【０００３】
図２３は、従来のＣＤＭＡ方式の移動無線通信システムの構成例である。
移動無線通信システムは、交換局装置（以下ＭＳＣ（Mobile Switching Center）と表記する）８０１、８０２、無線ネットワーク制御装置（以下ＲＮＣ（Radio Network Controller）と表記する）８０３、８０４、無線基地局装置（以下ノードＢ（Base）と表記する）８０５、８０６、８０７、８０８、８０９、８１０、移動端末装置（以下ＵＥ（User Equipment）と表記する）８１１からなり、ＭＳＣ８０１、８０２を最上位としたピラミッド型のネットワークを構成している。
【０００４】
ＭＳＣ８０１、８０２は、無線回線網と一般の回線交換網の接続ノードである。例えばＭＳＣ８０１の下位の無線回線網からの呼接続（位置登録）要求が、ＭＳＣ８０１の回線交換網の外への場合には、該当する他のＭＳＣ、例えばＭＳＣ８０２間との接続制御を行う。また、ＭＳＣ８０１の回線交換網の外からの着信要求の場合は、着信先のＵＥ８１１の位置情報が、ＭＳＣ８０１の回線交換網内で認識される場合に、該当エリアのＲＮＣ、例えばＲＮＣ８０３に着信信号を転送する。また、パケット通信の交換を行う接続ノードは、ｘＧＳＮ（x-GPRS（Global Packet Radio Service） Support Node）とも呼ばれるが、以下ではその交換網もＭＳＣ８０１、８０２と同意であるとする。
【０００５】
ＲＮＣ８０３、８０４は、ＭＳＣ８０１及びノードＢ８０５〜８１０間の無線回線制御、呼接続（終話）制御、移動（ハンドオーバ）制御、及びＵＥ８１１の接続レート（通信レート）の制御などを行う。発信（位置登録）時は、ノードＢ８０５〜８１０経由の信号を回線交換網のＭＳＣ８０１に通知後、該当するノードＢ、例えば、ノードＢ８０５との無線回線制御を行う。着信時は、ＭＳＣ８０１からの信号をＵＥ８１１の近隣に存在する複数のノードＢ、例えば、ノードＢ８０５、８０６、８０７に転送し、ＵＥ８１１が存在するエリアのノードＢ、例えば、ノードＢ８０５を経由して応答を受信する。これにより発信時と同様な接続制御（回線制御）を行う。
【０００６】
ノードＢ８０５〜８１０は、それぞれの位置に対応した無線ゾーン（以下セルと称する）を形成する。また、ＵＥ８１１からの呼制御信号（発信、位置登録）をＲＮＣ８０３、８０４へ中継する機能と、ＲＮＣ８０３、８０４からの無線回線制御信号をＵＥ８１１へ中継する機能を有している。
【０００７】
ＣＤＭＡの移動無線通信システムでは、多数のセルでサービスエリアを覆うセルラー方式を利用して高品質のサービスを提供するための無線マルチリンク制御及び、無線回線の移動制御を実施している。
【０００８】
無線マルチリンク制御では、複数の無線回線と接続可能となるように、隣接するノードＢ間のセルを重複配置し、複数回線からの伝送情報の選択合成、復元などを行う。これにより高品質な無線通信が提供される。
【０００９】
移動制御は、無線マルチリンク制御の機能を前提として、ＵＥ８１１の移動に伴って無線回線の接続、切断を連続で行う（以下ハンドオーバと称する）。これにより、移動通信の継続を可能としている。
【００１０】
以下、従来のハンドオーバの手順について説明する。
図２４は、ＵＥの移動に伴うハンドオーバを示す図である。
ここでは、図２３のＲＮＣ８０３が管理するノードＢ８０７のセル８０７ａから、ＲＮＣ８０４が管理するノードＢ８０８によるセル８０８ａへ、ＵＥ８１１が移動した場合を示している。ＣＤＭＡ方式の移動制御では、ＵＥ８１１の移動に伴う接続するセル８０７ａ、８０８ａの切り替え（無線回線の接続、切断）をＲＮＣ８０３、８０４が行う。
【００１１】
ＵＥ８１１は、予め呼接続確立時にＲＮＣ８０３より通知されたハンドオーバ可能な周辺セルの情報をもとに、複数の周辺セルの品質（電力値）を常時測定している。例えば、図のようなハンドオーバ区間において、通信中のセル８０７ａより品質のよいセル（ここではセル８０８ａ）が周辺セル情報から検出された場合、そのセル８０８ａへのハンドオーバ要求をＲＮＣ８０３に伝える。ハンドオーバ要求を受信したＲＮＣ８０３では、図２４のように、該当セル８０８ａがＲＮＣ８０３の管理外であった場合は、そのセル８０８ａを管理しているハンドオーバ先のＲＮＣ８０４へ無線リンクの設定要求を伝える。なお、ＲＮＣ８０３の管理内であれば、ＲＮＣ８０３に対し、移動したいセルとの無線リンクの設定要求を伝える。
【００１２】
該当セル８０８ａがＲＮＣ８０３の管理外であった場合、無線リンクの設定要求を受信したハンドオーバ先のＲＮＣ８０４では、配下のノードＢ８０８と連携して無線リンクを設定する。このとき、ハンドオーバ先のＲＮＣ８０４が管理している周辺セル情報を、ハンドオーバ元のＲＮＣ８０３へ報告する。
【００１３】
ハンドオーバ先のＲＮＣ８０４の周辺セル情報の報告を受けたハンドオーバ元のＲＮＣ８０３では、既存の周辺セル情報とハンドオーバ先の周辺セル情報から、ＵＥ８１１へ通知する周辺セル情報を編集し通知する。
【００１４】
このようなハンドオーバ方式にて用いられる周辺セル情報とは、任意のセルを中心とした近隣セルが全て設定された情報である。
ＣＤＭＡ方式の移動無線通信システムでは、高速の拡散符号系列で拡散して伝送するために、遅延時間を有するマルチパスを時間的に分離し同相合成するＲａｋｅ合成を用いている。そしてマルチパスの信号電力を有効に用い信号受信の高品質化を実現している。またこの方式は２つ以上のセルから信号を時間的にオーバーラップして受信／送信することで複数のセルを用いた通信を行うことができる。
【００１５】
また、複数のノードＢから受信した通話呼量／通話品質を判別し、この判別結果に従って下り制御信号の送信出力の変更をノードＢへ要求する制御局を設け、デュアルモードをサポートするＵＥに、ノードＢとの間で上り制御信号及び下り制御信号の送受信を行わせるようにすることで、発着信の規制（呼の不成立）を行うことなく、呼の輻輳や通話品質の劣化を軽減する技術があった（特許文献１参照）。
【００１６】
近年、このような様々な新しい技術の導入により移動体通信におけるデータ通信の伝送速度は年々向上している。また、複数セルを用いた通信方式の採用により切断されにくい通信方式も確立してきている。
【特許文献１】特開２０００−６８９２８号公報
【発明の開示】
【発明が解決しようとする課題】
【００１７】
しかしながら、無線通信の利用形態も多様化してきており、ラジオやテレビ中継などのように、さらに高品質の通信が要求されてきている。
有線通信の場合では、品質を確保する場合、２つの回線を確保して通信するという２重化通信方式が一般的であったが、無線通信の場合は、そのような手段はなく、高品質の通信を確保することは困難であった。
【００１８】
また、高速移動中でも切断されにくい有線通信レベルの品質も要求されている。
本発明はこのような点に鑑みてなされたものであり、高品質で、高速移動中でも無線通信の切断を防止可能な移動無線通信システムを提供することを目的とする。
【課題を解決するための手段】
【００１９】
本発明では上記問題を解決するために、移動無線通信システムにおいて、図１に示すように、一組として同じく移動する複数の移動端末装置（ＵＥ）（例えば、ＵＥ１００−１、１００−２）と、複数の無線基地局装置（ノードＢ）２００−１、２００−２、…、２００−ｍと、複数のＵＥ（例えば、ＵＥ１００−１、１００−２）を一組として識別し管理するための組端末管理情報を格納する格納部（端末管理情報格納部３５０）と、同一組に属するＵＥ（例えば、ＵＥ１００−１、１００−２）が、それぞれ異なるセルに接続するように制御する制御部（周辺セル情報制御部３３１）と、を具備した無線ネットワーク制御装置（ＲＮＣ）３００を有することを特徴とする移動無線通信システムが提供される。
【００２０】
上記の構成によれば、ＲＮＣ３００の格納部で組端末管理情報を格納することで、複数のＵＥが一組として識別し管理され、ＲＮＣ３００の制御部は、同一組に属するＵＥ（例えば、ＵＥ１００−１、１００−２）がノードＢ２００−１、２００−２、…、２００−ｍが形成するセルのうち、異なるセルに接続するように制御する。これによって、同一組に属する複数のＵＥを用いた多重化通信が可能になり、高速移動時に同一組に属するＵＥの回線が同時に切断されることが防止される。
【発明の効果】
【００２１】
本発明は、無線ネットワーク制御装置の格納部で組端末管理情報を格納することで、複数の移動端末装置が一組として識別し管理され、無線ネットワーク制御装置の制御部は、同一組に属する移動端末装置が、基地局装置が形成するセルのうち、異なるセルに接続するように制御するので、同一組に属する複数の移動端末装置を用いた多重化通信が可能になり、通信品質を向上することができる。また、移動時に同一組に属する移動端末装置の回線が同時に切断されることが防止されるので、いずれかの移動端末装置で継続した通信ができる。
【００２２】
すなわち、複数の移動端末装置が１つのＰＣ（パーソナルコンピュータ）などに接続された構成や、複数の移動端末装置と同じ機能が１つの移動端末装置に入っている構成において、高速で大量のデータを伝送している最中に、ハンドオーバしても瞬断を生じないようにすることができる。
【発明を実施するための最良の形態】
【００２３】
以下、本発明の実施の形態を図面を参照して詳細に説明する。
本発明の実施の形態では、複数のＵＥ（移動端末装置）を一組として同じく移動する。
そこでまず、複数のＵＥ（移動端末装置）を一組にする構成の例を示す。
【００２４】
図２は、複数のＵＥを一組にする構成の例を示す図であり、ＵＥを個別に設ける場合の一例を示す図である。
ここでは、それぞれ固有識別情報（後述する）を有するＵＥ１００−１、１００−２は、ＰＣＭＣＩＡ（Personal Computer Memory Card International Association）などのインターフェースカード１００−１０によりＰＣ１００−２０に接続される。なお、ＰＣ１００−２０にインターフェースカードの機能が内蔵されている場合は、ＵＥ１００−１、１００−２をＰＣ１００−２０に直接接続してもよい。ＰＣ１００−２０は音声やデータのやり取りをＵＥ１００−１、１００−２を介して行う。この場合、接続する相手（着呼先）は同じ相手であるとともに、ＵＥ１００−１、１００−２から出力されるデータは同じデータである。
【００２５】
このような構成にすることにより、有線通信の場合のように無線区間のバックアップを行うことができる。したがって、ＰＣ１００−２０でデータや音声の送受信中に、ＵＥ１００−１、１００−２の一方が通信できる状態になっていればハンドオーバ時に回線が切断されることはなくなる。
【００２６】
図３は、複数のＵＥを一組にする構成の例を示す図であり、１つのＵＥに回線接続のための機能部を複数設けた場合の一例を示す図である。
ＵＥ１００は、音声やデータのやり取りを行うため、回線接続のための機能部１００−１−１、１００−１−２と、そのデータを処理する処理するデータ処理部１００−１−３を有しており、機能部１００−１−１、１００−１−２は、それぞれに固有識別情報を有している。
【００２７】
ＵＥ１００の機能部１００−１−１、１００−１−２の接続する相手（着呼先）は同じ相手であるとともに、機能部１００−１−１、１００−１−２から出力されるデータは同じデータである。
【００２８】
このような構成にすることにより、有線通信の場合のように無線区間のバックアップを行うことができる。したがって、ＵＥ１００でデータや音声の送受信中に機能部１００−１−１、１００−１−２の一方が通信できる状態になっていればハンドオーバ時に回線が切断されることはなくなる。
【００２９】
以下に図２の構成を用いた場合の移動無線通信システムを説明するが、ＵＥ１００−１、ＵＥ１００−２を、機能部１００−１−１、１００−１−２と置き換えることで、図３の構成にも適用可能である。なお、以下では、インターフェースカード１００−１０及びＰＣ１００−２０の図示を省略している。
【００３０】
図１は、第１の実施の形態の移動無線通信システムの構成図である。
第１の実施の形態の移動無線通信システムは、複数のＵＥ（移動端末装置）１００−１、１００−２、…、１００−ｎと、複数のノードＢ（無線基地局装置）２００−１、２００−２、…、２００−ｍと、ＲＮＣ（無線ネットワーク制御装置）３００と、ＭＳＣ（交換局装置）４００と、から構成される。
【００３１】
なお、ここでは、図示を簡略化するためＭＳＣ４００に対しＲＮＣ３００を１つのみ図示しているが、複数あってもよく、ＭＳＣ４００も複数あってよい（図２３参照）。
ＲＮＣ３００は、ＭＳＣインターフェース部３１０と、呼接続処理部３２０と、端末制御部３３０と、ノードＢインターフェース部３４０と、端末管理情報格納部３５０とを有する。
【００３２】
ＭＳＣインターフェース部３１０はＭＳＣ４００との無線通信を行う機能を有する。
呼接続処理部３２０は、呼接続や終話の制御を行う。
端末制御部３３０は、ＵＥ１００−１、１００−２、…、１００−ｎの無線回線接続のための無線回線制御、移動（ハンドオーバ）制御、及び通信レート（接続レート）制御などを行う。特に、端末制御部３３０の周辺セル情報制御部３３１は、ＵＥ１００−１、１００−２、…、１００−ｎの移動時の周辺セル情報の編集や、ＵＥ１００−１、１００−２、…、１００−ｎへ通知する周辺セル情報の通知候補の生成などを行う。
【００３３】
ノードＢインターフェース部３４０は、ノードＢ２００−１、２００−２、…、２００−ｍとの無線通信を行う機能を有する。
端末管理情報格納部３５０は、組となるＵＥ１００−１、１００−２、…、１００−ｎの組端末管理情報を格納する。以下、２台のＵＥ１００−１、１００−２をペアとして組み合わせて２重化通信を行うものとし、組となるＵＥ１００−１、１００−２、…、１００−ｎの組端末管理情報をペア端末管理情報と呼ぶことにする。ペア端末管理情報はペア端末管理情報記憶領域３５１に記憶される。さらに、端末管理情報格納部３５０は、ＵＥ１００−１、１００−２、…、１００−ｎが存在する位置の周辺セルの情報である周辺セル情報を記憶する周辺セル情報記憶領域３５２と、ＵＥ１００−１、１００−２、…、１００−ｎの接続レート（通信レート）情報を記憶する接続レート情報記憶領域３５３とを有する。
【００３４】
図１に示す第１の実施の形態の移動無線通信システムにおいては、ペアとなるＵＥ１００−１、１００−２は、それぞれ、ペア端末であることを示すペア端末情報を格納するペア端末情報格納部１０１−１、１０１−２を有している。ＵＥ１００−１の有するペア端末情報は、ペアの相手であるＵＥ１００−２の固有識別情報であるＩＭＳＩ（International Mobile Subscriber Identity）であり、例えば、ＵＥ１００−２の電話番号である。同様に、ＵＥ１００−２の有するペア端末情報は、ペアの相手であるＵＥ１００−１のＩＭＳＩであり、例えば、ＵＥ１００−１の電話番号である。これらをＲＮＣ３００に通知し、ＲＮＣ３００はこのペア端末情報をもとにペア端末管理情報を生成することによって、移動無線通信システムにおいて、ペアとなるＵＥ１００−１、１００−２を識別する。
【００３５】
以下、第１の実施の形態の移動無線通信システムの動作を説明する。
まず、ＵＥ１００−１、１００−２がペア端末であることを、移動無線通信システムにおいて認識させるための処理を説明する。
【００３６】
図４は、第１の実施の形態の移動無線通信システムの発呼時のシーケンス図である。
例えば、ユーザがＵＥ１００−１を用いて発呼した場合、ＵＥ１００−１はＲＮＣ３００に対して、無線通信のための接続であるＲＲＣ（Radio Resource Control）接続の確立を要求する信号（ＲＲＣ  Ｃｏｎｎｅｃｔｉｏｎ  Ｒｅｑｕｅｓｔ）を送信する（ステップＳ１）。このとき、ＵＥ１００−１は、ペアの相手ＵＥ１００−２の固有識別情報であるＩＭＳＩをＲＲＣ接続要求信号に付加する。
【００３７】
図５は、ＲＲＣ接続要求信号にＩＭＳＩを付加した様子を示す図である。
ＲＲＣ接続要求信号のメッセージ５００は、ＵＥ１００−１がＲＮＣ３００にＲＲＣ接続の要求を行う既存のメッセージ（既存部５００ａ）に、拡張部（ＩＭＳＩ）５００ｂを付加した構成となる。
【００３８】
ＲＮＣ３００は、ＲＲＣ接続要求信号に固有識別情報が内蔵されている場合、端末制御部３３０にて、ＵＥ１００−１のペア端末情報がペア端末管理情報記憶領域３５１に既に記憶されているか検索する（ステップＳ２）。検索の際には、例えば、ＵＥ１００−１の固有識別情報（ＩＭＳＩ）を用いる。
【００３９】
記憶されていない場合には、ＲＲＣ接続要求信号に内蔵されたＵＥ１００−１のペア端末情報であるＵＥ１００−２のＩＭＳＩを、ペア端末管理情報記憶領域３５１に記憶する（ステップＳ３）。
【００４０】
図６は、ペア端末管理情報の例である。
ペア端末管理情報は、ペア端末となる２つのＵＥ１００−１、１００−２の情報であるＩＭＳＩと、後述の呼設定手順（ステップＳ１０）における呼接続動作過程で接続した接続先セル（Ａｃｔｉｖｅ  Ｓｅｔ  Ｃｅｌｌ）情報を有している。
【００４１】
ステップＳ３の処理後、通常のノードＢ２００−１、２００−２、…、２００−ｍとＲＮＣ３００間の無線リンク確立のための設定を行う。
具体的には、ＮＢＡＰ（Node B Application Part）プロトコルにより、ＲＮＣ３００とノードＢ２００−１、２００−２、…、２００−ｍとの間の無線リンクを確立するための設定を行う。すなわち、ＲＮＣ３００は、ノードＢ２００−１、２００−２、…、２００−ｍに、無線リンク設定要求信号（Ｒａｄｉｏ  Ｌｉｎｋ  Ｓｅｔｕｐ  Ｒｅｑｕｅｓｔ）を通知し（ステップＳ４）、ノードＢ２００−１、２００−２、…、２００−ｍは、これに応じて無線リンク設定要求に対しての応答（Ｒａｄｉｏ  Ｌｉｎｋ  Ｓｅｔｕｐ  Ｒｅｓｐｏｎｓｅ）をＲＮＣ３００に行う（ステップＳ５）。さらに、ＲＮＣ３００は、ＡＡＬ２（ＡＴＭ（Asynchronous Transfer Mode）アダプテーションレイヤタイプ２）プロトコルによる接続要求を生成してノードＢ２００−１、２００−２、…、２００−ｍに通知する。より詳細には、その各要求（Ｑ．ＡＡＬ２（Ｉｕｂ（ノードＢとＲＮＣの間のインターフェースである）：ＥＲＱ（Establish Request：接続要求））は、Ｑ．ＡＡＬ２とも呼ばれるＱ．２６３０．１シグナリングに準拠してＲＮＣ３００によって伝送され（ステップＳ６）、ノードＢ２００−１、２００−２、…、２００−ｍにおいて、それぞれ接続のための識別子を含む応答確認（Ｑ．ＡＡＬ２（Ｉｕｂ）：ＥＣＦ（Establish Confirm：接続完了））を生成し、ＲＮＣ３００に送信する（ステップＳ７）。
【００４２】
その後、ＲＮＣ３００はＲＲＣ接続設定信号（ＲＲＣ  Ｃｏｎｎｅｃｔｉｏｎ  Ｓｅｔｕｐ）をＵＥ１００−１に通知し（ステップＳ８）、ＵＥ１００−１は、ＲＮＣ３００に対するＲＲＣ接続設定完了信号（ＲＲＣ  Ｃｏｎｎｅｃｔｉｏｎ  Ｃｏｍｐｌｅｔｅ）を送信し（ステップＳ９）、ＲＲＣ接続を確立する。
【００４３】
さらに、その後、ＵＥ１００−１、ノードＢ２００−１、２００−２、…、２００−ｍ、ＲＮＣ３００、ＭＳＣ４００間での呼設定手順を行う（ステップＳ１０）。これにより、例えば、通話先の移動端末装置との呼接続を行う。ここで、ＵＥ１００−１が呼接続動作過程で接続した接続先セル（Ａｃｔｉｖｅ  Ｓｅｔ  Ｃｅｌｌ）情報も自身の固有識別情報であるＩＭＳＩとともに、図６で示したようにペア端末管理情報記憶領域３５１に記憶する。
【００４４】
一方、ユーザがＵＥ１００−２を用いて発呼した場合、ＵＥ１００−１を用いて発呼した場合と同様の動作を行う。ただし、ＲＮＣ３００は、ステップＳ２のペア端末管理情報検索処理の際、既にＵＥ１００−２のＩＭＳＩが設定されているため、改めてＩＭＳＩの記憶は不要であるが、この後のＵＥ１００−２の呼設定手順（ステップＳ１０）による呼接続過程で接続した接続先セル（Ａｃｔｉｖｅ  Ｓｅｔ  Ｃｅｌｌ）情報を、ペア端末管理情報記憶領域３５１に記憶する。
【００４５】
ところで、ＣＤＭＡの移動無線通信システムでは、ＵＥ１００−１、１００−２の移動時、例えば、ＵＥ１００−１、１００−２からなされるハンドオーバ要求に伴い、逐次ハンドオーバ手順（多重セル接続動作）を実施する。そのために、前述のＵＥ１００−１、１００−２の発呼により、１つのセルへの接続動作を行う１本の無線リンク確立後、異なるセルとの間で更に無線リンクを追加する。追加した無線リンクで接続した接続先セル（Ａｃｔｉｖｅ  Ｓｅｔ  Ｃｅｌｌ）情報は、移動するＵＥ１００−１、１００−２が保有する周辺セル情報から選択されて、図６で示したペア端末管理情報記憶領域３５１の該当箇所に記憶される。無線リンクは、１つのＵＥ１００−１、１００−２について最大３つとすると、それ以上の無線リンクを追加する場合には、ＵＥ１００−１、１００−２側より通知された削除対象セルを削除し、追加指示された対象セルの追加を行う動作となる。
【００４６】
ところが、従来のハンドオーバ手順を適用してペア端末のハンドオーバを行った場合、以下のような問題がある。まず、ＵＥ１００−１、１００−２をペア端末として用いると、端末の位置が接近している場合、同一セルを用いた通信となる可能性が高い。つまり、一方において無線リンクの切断が生じたときに、他方においても無線リンクが不安定な状態となる可能性が非常に高くなり、２重化のメリットを活かせないという問題がある。
【００４７】
また、ペア端末が両方同じ方向に移動した場合は、次のような問題が生じる。
図７、図８、図９は、従来のハンドオーバ手順を用いた場合の、ペア端末のハンドオーバの様子を示す図である。
【００４８】
例えば、図７のように、ＵＥ１００−１、１００−２は、それぞれ、ノードＢ２００−１、２００−２、２００−３、２００−４が形成するセル２００ａ−１、２００ａ−２、２００ａ−３、２００ａ−４内に存在し、ノードＢ２００−１、２００−２、２００−３との間で、両者とも同じ３つの無線リンクが確立しているとする。ここで、図８のように、ＵＥ１００−１、１００−２が高速移動した場合、両方が同時にハンドオーバを実施するが、両方が同時にハンドオーバ失敗となることで、図９のように通信が切断してしまう危険性がある。
【００４９】
そこで、第１の実施の形態の移動無線通信システムにおいては、以下のような処理により、ハンドオーバ実施時の通信の切断を防止する。
図１０は、無線リンク追加時の周辺セル情報通知のシーケンス図である。
【００５０】
ＵＥ１００−１、１００−２の移動などにより、ＵＥ１００−１、１００−２から無線リンク（Ｒａｄｉｏ  Ｌｉｎｋ）追加要求が通知されると（ステップＳ２０）、ＲＮＣ３００は、無線リンク（Ｒａｄｉｏ  Ｌｉｎｋ）設定処理（ステップＳ２１）を行う。その後、周辺セル情報制御部３３１は、ＵＥ１００−１、１００−２がハンドオーバ手順後に次の接続先セル候補として無線状態の監視を行うための、周辺セル情報を周辺セル情報記憶領域３５２から検索し、ＵＥ１００−１、１００−２に通知する（ステップＳ２２）。
【００５１】
図１１は、周辺セル情報の一例である。
図のように、あるＵＥ（以下ＵＥ１００−１とする）の周辺セルのセルＩＤ（ｃｅｌｌ＿ｉｄ）と、そのセルがＵＥ１００−１と無線リンクで接続可能であるか否かを、そのＵＥ１００−１が確立可能な３つの無線リンク（ＲＬ＃１、ＲＬ＃２、ＲＬ＃３）それぞれに対して記憶している。該当セルが無線リンクで接続可能である場合をＯＮとしている。また、関連リンク数として、該当セルが接続可能な無線リンク数を管理している。ここで、実際に接続している接続先セル（Ａｃｔｉｖｅ  Ｓｅｔ  Ｃｅｌｌ）の場合、関連リンク数の欄には、例えば“ＡｃｔｉｖｅＳｅｔ”と表記している。
【００５２】
この例では、セルＩＤが２５７（番号０）、７９３９（番号２０）、３８４４（番号２４）のセルがＡｃｔｉｖｅ  Ｓｅｔ  Ｃｅｌｌとなっている。
図１２は、移動端末装置への周辺セル情報の通知候補を示す図である。
【００５３】
周辺セル情報の通知候補は、Ａｃｔｉｖｅ  Ｓｅｔ  Ｃｅｌｌが上位に選択される。その後に、関連リンク数が３つのセルが続く。
ＵＥ１００−１において３つの無線リンクが確立している状態では、そのＵＥ１００−１の移動時に、新しい無線リンクを設定したい場合、ある無線リンクを切断する必要がある。そのような場合、ＵＥ１００−１より無線リンク（Ｒａｄｉｏ  Ｌｉｎｋ）削除／追加要求がＲＮＣ３００に対して送信される（ステップＳ２３）。ＲＮＣ３００は、無線リンク設定処理（ステップＳ２４）を行い、ＲＮＣ３００の周辺セル情報制御部３３１は、周辺セル情報の編集を行う（ステップＳ２５）。
【００５４】
図１３は、無線リンク削除／追加時の周辺セル情報の例である。
無線リンク削除／追加要求がなされた場合、周辺セル情報制御部３３１は、例えば、図１２の周辺セル情報から、無線リンク“ＲＬ＃２”の情報を削除し、新たに無線リンク“ＲＬ＃４”を追加して、その無線リンク“ＲＬ＃４”と接続可能なセル情報を追加する。また、図１３の例では、セルＩＤが“７９３９”（番号２０）のセルが、Ａｃｔｉｖｅ  Ｓｅｔ  Ｃｅｌｌではなくなり、セルＩＤが“１１５２２”（番号１８）のセルが、新たにＡｃｔｉｖｅ  Ｓｅｔ  Ｃｅｌｌになったことを示している。このときさらに、端末制御部３３０は、周辺セル情報制御部３３１によって決定されたＡｃｔｉｖｅ  Ｓｅｔ  Ｃｅｌｌに基づいて、図４で示したペア端末管理情報を更新する（ステップＳ２６）。以上のような処理は、ＵＥ１００−１のペアであるＵＥ１００−２に対しても同様に行われる。
【００５５】
次に、周辺セル情報制御部３３１は、ＵＥ１００−１とＵＥ１００−２のペア端末管理情報のＡｃｔｉｖｅ  Ｓｅｔ  Ｃｅｌｌを比較する（ステップＳ２７）。比較した結果、互いのペア端末管理情報の３つのＡｃｔｉｖｅ  Ｓｅｔ  Ｃｅｌｌが一致していない場合、その後の高速移動によって、ＵＥ１００−１とＵＥ１００−２とが同時に、通信が切断された状態となる可能性は低いので、図１３のように編集した周辺セル情報をもとに、ハンドオーバ手順後に次の接続先セル候補として無線状態の監視を行うための周辺セル情報を検索してＵＥ１００−１、ＵＥ１００−２に通知する（ステップ２８）。
【００５６】
図１４は、移動端末装置への周辺セル情報の通知候補を示す図である。
周辺セル情報の通知候補は、Ａｃｔｉｖｅ  Ｓｅｔ  Ｃｅｌｌが上位に選択される。その後に、関連リンク数が３つのセルが続く。なお、移動前にＡｃｔｉｖｅ  Ｓｅｔ  Ｃｅｌｌであったセル（セルＩＤが“７９３９”（番号２０））は、移動後に無線リンクで接続されるＡｃｔｉｖｅ  Ｓｅｔ  Ｃｅｌｌの周辺セルとなっているため、実際には通知候補セルに含まれる。
【００５７】
一方、ステップＳ２７のペア端末管理情報のＡｃｔｉｖｅ  Ｓｅｔ  Ｃｅｌｌの比較の結果、互いのペア端末管理情報の３つのＡｃｔｉｖｅ  Ｓｅｔ  Ｃｅｌｌが一致している場合、周辺セル情報制御部３３１は、通知候補セルより、例えば、セルＩＤが“７９３９”（番号２２）のセルを削除し、ＵＥ１００−２に通知する。ペア端末であるＵＥ１００−１、１００−２において、通知候補セルを変更することにより、ＵＥ１００−１が再度、セルＩＤ７９３９をＡｃｔｉｖｅ  Ｓｅｔ  Ｃｅｌｌとした場合には、ＵＥ１００−１、１００−２が異なるセルに接続して通信を行うようになる。これにより、高速移動時にＵＥ１００−１、１００−２の回線が同時に切断されることが防止されるので、いずれかの移動端末装置で継続した通信ができ、高品質な２重化通信を行うことができる。
【００５８】
次に、第２の実施の形態の移動無線通信システムを説明する。
図１５は、第２の実施の形態の移動無線通信システムの構成図である。
第２の実施の形態の移動無線通信システムは、図１で示した第１の実施の形態の移動無線通信システムと異なり、ペアとなるＵＥ１００−１、１００−２のペア端末情報を、ＭＳＣ４００ａが、ペア端末情報格納部４０１に有している。このペア端末情報をＲＮＣ３００に通知し、ＲＮＣ３００はこれをもとにペア端末管理情報を生成することよって、移動無線通信システムにおいて、ペアとなるＵＥ１００−１、１００−２を識別する。その他の構成要素については、第１の実施の形態の移動無線システムと同じであるので同一符号として説明を省略する。
【００５９】
第２の実施の形態の移動無線通信システムの動作は、ＵＥ１００−１、１００−２がペア端末であることを、移動無線通信システムにおいて認識させるための処理が第１の実施の形態と異なるので、それを説明する。
【００６０】
図１６は、第２の実施の形態の移動無線通信システムの発呼時のシーケンス図である。
例えば、ユーザがＵＥ１００−１を用いて発呼した場合、ＵＥ１００−１はＲＮＣ３００に対して、無線通信のための接続であるＲＲＣ接続の確立を要求する信号（ＲＲＣ  Ｃｏｎｎｅｃｔｉｏｎ  Ｒｅｑｕｅｓｔ）を送信する（ステップＳ３０）。ステップＳ３１〜Ｓ３６の処理は、図４のステップＳ４〜Ｓ９の処理と同じである。第２の実施の形態の移動無線通信システムにおいては、ステップＳ３７の呼設定手順内のメッセージに前述のペア端末情報を付加する。具体的には、ＭＳＣ４００ａからＲＮＣ３００に送信されるＲＡＮＡＰ（Radio Access Network Application Part）プロトコルの信号ＣｏｍｍｏｎＩＤ（通話先の移動端末装置の固有識別情報など）に、ＵＥ１００−１のペアの相手であるＵＥ１００−２の固有識別情報（ＩＭＳＩ）を付加して通知する（ステップＳ３７ａ）。ＲＮＣ３００は、ＭＳＣインターフェース部３１０にてこれを受信し、端末制御部３３０にて、図６で示したようなペア端末管理情報記憶領域３５１のペア端末管理情報を検索し（ステップＳ３７ｂ）、記憶されていないものであれば、ペア端末管理情報記憶領域３５１に固有識別情報を記憶する（ステップＳ３７ｃ）。
【００６１】
以上のように、ペア端末情報をＭＳＣ４００ａに持たせた場合でも、第１の実施の形態と同様な効果が得られる。
次に第３の実施の形態の移動無線通信システムを説明する。
【００６２】
第３の実施の形態の移動無線通信システムは、図１または図１５で示したシステム構成と同様である。ただし、端末制御部３３０の周辺セル情報制御部３３１の機能が異なる。以下、第１の実施の形態の移動無線通信システムと同じ場合、すなわち、ペア端末情報をＵＥ１００−１、１００−２が格納している場合の、図１を用いて第３の実施の形態の移動無線通信システムの動作を説明する。
【００６３】
図１７は、第３の実施の形態の移動無線通信システムの発呼時のシーケンス図である。
なお、この図では、図４で示した第１の実施の形態の移動無線通信システムのステップＳ４〜Ｓ９の処理の図示を省略している。また、ユーザが、ＵＥ１００−１を用いて発呼した場合の、ステップＳ４０〜Ｓ４３処理は、ステップＳ１、Ｓ２、Ｓ３、Ｓ１０の処理に対応している。なお、ＵＥ１００−１の発呼時における呼設定手順（ステップＳ４３）では、具体的には以下のような動作が行われる。周辺セル情報制御部３３１は、端末管理情報格納部３５０の周辺セル情報記憶領域３５２からＵＥ１００−１の周辺セル情報を検索する。その後、ＵＥ１００−１に通信対象となる任意の周波数の帯域を割り当てる。そして、接続した接続先セル（Ａｃｔｉｖｅ  Ｓｅｔ  Ｃｅｌｌ）を、図６で示したような、ＵＥ１００−１に関連付けられたペア端末管理情報として記憶する。
【００６４】
ユーザが、ＵＥ１００−２を用いて発呼した場合が、第１の実施の形態の処理と異なる。ＵＥ１００−２は、ＲＮＣ３００に対して無線通信のための接続であるＲＲＣ接続の確立を要求する信号（ＲＲＣ  Ｃｏｎｎｅｃｔｉｏｎ  Ｒｅｑｕｅｓｔ）を送信すると（ステップＳ４４）、ＲＮＣ３００は、ペア端末管理情報記憶領域３５１からペア端末管理情報を検索する（ステップＳ４５）。このとき、ステップＳ４２の処理で既にＵＥ１００−２のＩＭＳＩが設定されているため、改めてＩＭＳＩを記憶する必要はない。さらに、周辺セル情報制御部３３１は、ＵＥ１００−２に関連付けられたペア端末管理情報記憶領域３５１内のＵＥ１００−１の接続先セル（Ａｃｔｉｖｅ  Ｓｅｔ  Ｃｅｌｌ）情報内の周波数情報を抽出する（ステップＳ４６）。その後のＵＥ１００−２の呼設定手順（ステップＳ４７）において、ステップＳ４６の処理で抽出したＵＥ１００−１の周波数情報を参照し、ＵＥ１００−１の周波数とは異なった周波数帯域を割り当て、接続先セル（Ａｃｔｉｖｅ  Ｓｅｔ  Ｃｅｌｌ）情報をＵＥ１００−２に関連付けられたペア端末管理情報記憶領域３５１に記憶する（ステップＳ４７ａ）。
【００６５】
このように、第３の実施の形態の移動無線通信システムによれば、ペア端末を互いに異なった周波数帯域のセルに接続することができる。これにより、高速移動時にＵＥ１００−１、１００−２の回線が同時に切断されることが防止されるので、いずれかの移動端末装置で継続した通信ができ、高品質な２重化通信を行うことができる。
【００６６】
次に、第４の実施の形態の移動無線通信システムを説明する。
第４の実施の形態の移動無線通信システムは、図１または図１５で示した構成と同様である。以下、図１を用いて説明する。ただし、ペア端末管理情報記憶領域３５１は、ペア端末の優先度を指定するための端末優先度情報を記憶する。また、端末制御部３３０の周辺セル情報制御部３３１の機能が異なる。
【００６７】
優先度は、ペア端末であるＵＥ１００−１、１００−２のうち先に発呼したほうを高く（以下優先度Ａとする）、後に発呼したほうを低くする（以下優先度Ｂとする）。
図１を用いて第４の実施の形態の移動無線通信システムの動作を説明する。
【００６８】
ＵＥ１００−１が発呼した場合、端末制御部３３０にてＵＥ１００−１が発呼したことを認識すると、端末制御部３３０はペア端末管理情報記憶領域３５１を参照して、ペア端末であるＵＥ１００−２の情報を参照する。ＵＥ１００−２が未発呼であれば、ＵＥ１００−１を優先度Ａとし、ペア端末管理情報記憶領域３５１にＵＥ１００−１の端末優先度情報として記憶する。その後、ＵＥ１００−２が発呼すると、ＵＥ１００−１が発呼済みで優先度Ａが割り振られているために、ＵＥ１００−２を優先度Ｂとし、ペア端末管理情報記憶領域３５１にＵＥ１００−２の端末優先度情報として記憶する。
【００６９】
無線リンク追加時の周辺セル情報通知の際の動作は、図１０で示した無線リンク追加時の周辺セル情報通知のシーケンス図とほぼ同様になるので、以下これを用いて説明する。
ＵＥ１００−１において３つの無線リンクが確立している状態で、優先度ＡのＵＥ１００−１より、無線リンク（Ｒａｄｉｏ  Ｌｉｎｋ）削除／追加要求がＲＮＣ３００に対して送信された場合（ステップＳ２３）、ＲＮＣ３００は、無線リンク設定処理（ステップＳ２４）を行い、ＲＮＣ３００の周辺セル情報制御部３３１は、周辺セル情報記憶領域３５２において、周辺セル情報の編集を行う（ステップＳ２５）。
【００７０】
周辺セル情報制御部３３１による、優先度を用いた周辺セル情報の編集について、前述の図１３、１４を用いて説明する。
無線リンク削除／追加要求がなされた場合、周辺セル情報制御部３３１は、例えば、図１３の周辺セル情報から、無線リンク“ＲＬ＃２”の情報を削除し、新たに無線リンク“ＲＬ＃４”を追加して、その無線リンク“ＲＬ＃４”と接続可能なセル情報を追加する。図１３の例では、セルＩＤが“７９３９”（番号２０）のセルが、Ａｃｔｉｖｅ  Ｓｅｔ  Ｃｅｌｌではなくなり、セルＩＤが“１１５２２”（番号１８）のセルが、新たにＡｃｔｉｖｅ  Ｓｅｔ  Ｃｅｌｌになったことを示している。このときさらに、端末制御部３３０は、周辺セル情報制御部３３１によって決定されたＡｃｔｉｖｅ  Ｓｅｔ  Ｃｅｌｌに基づいて、図６で示したペア端末管理情報を更新する（ステップＳ２６）。
【００７１】
優先度ＢのＵＥ１００−２が同様に３つの無線リンクが確立している状態から無線リンク“ＲＬ＃２”の情報を削除し、新たに無線リンク“ＲＬ＃４”の追加を行った場合、周辺セル情報制御部３３１では、優先度ＡのＵＥ１００−１に対しては図１４のように、通知候補としてセルＩＤ“７９３９”（番号２２）のセルを選択するが、優先度ＢのＵＥ１００−２に対しては、そのセルを通知候補から削除する。ペア端末であるＵＥ１００−１、１００−２において、通知候補セルを変更することにより、ＵＥ１００−１が再度、セルＩＤ“７９３９”をＡｃｔｉｖｅ  Ｓｅｔ  Ｃｅｌｌとした場合には、ＵＥ１００−１、１００−２が異なるセルに接続して通信を行うようになる。これにより、高速移動時にＵＥ１００−１、１００−２の回線が同時に切断されることが防止されるので、いずれかの移動端末装置で継続した通信ができ、高品質な２重化通信を行うことができる。
【００７２】
なお、以上の第１から第４の実施の形態における、周辺セル情報制御部３３１の各機能は、アルゴリズムとしてＲＮＣ３００が同時に有していてもよい。すなわち、第１及び第２の実施の形態の、ペア端末管理情報記憶領域３５１から、ペア端末同士のＡｃｔｉｖｅ  Ｓｅｔ  Ｃｅｌｌ情報を比較して、一致していれば、異なる周辺セル情報を生成するアルゴリズム、第３の実施の形態の、ペア端末に異なる周波数帯域を割り当てるアルゴリズム、第４の実施の形態の、優先度の異なるペア端末に異なる周辺セル情報を生成するアルゴリズムを有しており、これらのいずれかを選択されて実行するようにしてもよい。ただし、発呼したＵＥ１００−１〜１００−ｎがペア端末でない場合には、通常の周辺セル情報選択アルゴリズムを用いる。
【００７３】
また、ペア端末にそれぞれ異なるアルゴリズムを適用するようにしてもよい。以下、それを第５の実施の形態の移動無線通信システムとして説明する。
第５の実施の形態の移動無線通信システムは、図１または図１５で示した構成と同様である。ただし、ペア端末管理情報記憶領域３５１は、ペア端末であるＵＥ１００−１、１００−２に適用するアルゴリズムを記憶する。
【００７４】
図１８は、第５の実施の形態の移動無線通信システムの発呼時のシーケンス図である。
なお、この図では、図４で示した第１の実施の形態の移動無線通信システムのステップＳ４〜Ｓ９の処理の図示を省略している。また、ＵＥ１００−１の発呼時におけるステップＳ５０〜Ｓ５２処理は、ステップＳ１〜Ｓ３の処理に対応している。ＵＥ１００−１の発呼時における呼設定手順（ステップＳ５３）において、ＲＮＣ３００の周辺セル情報制御部３３１は、複数の周辺セル情報選択アルゴリズムから、ＵＥ１００−１に適用すべきアルゴリズムを選択し、ペア端末管理情報記憶領域３５１に記憶する（ステップＳ５３ａ）。
【００７５】
図１９は、ペア端末管理情報の例である。
図のようにペア端末管理情報には、ペア端末となる２つのＵＥ１００−１、１００−２の情報であるＩＭＳＩと、ステップＳ５３ａの処理により選択された周辺セル情報選択アルゴリズムが記憶される。
【００７６】
呼設定手順（ステップＳ５３）では、選択されたアルゴリズムにもとづき、接続及び、ＵＥ１００−１への周辺セル情報の通知動作を行う。
一方ユーザが、ＵＥ１００−２を用いて発呼した場合には、ＵＥ１００−２はＲＮＣ３００に対して、無線通信のための接続であるＲＲＣ接続の確立を要求する信号（ＲＲＣ  Ｃｏｎｎｅｃｔｉｏｎ  Ｒｅｑｕｅｓｔ）を送信する（ステップＳ５４）。ＲＮＣ３００は、ペア端末管理情報記憶領域３５１からペア端末管理情報を検索する（ステップＳ５５）。このとき、ステップＳ５２の処理で既にＵＥ１００−２のＩＭＳＩが設定されているため、改めてＩＭＳＩを記憶する必要はない。さらに、周辺セル情報制御部３３１は、ＵＥ１００−２に関連付けられたペア端末管理情報記憶領域３５１内の、ＵＥ１００−１が選択した周辺セル情報選択アルゴリズムを抽出する（ステップＳ５６）。その後のＵＥ１００−２の呼設定手順（ステップＳ５７）において、ステップＳ５６の処理で抽出したＵＥ１００−１に適用するアルゴリズムとは異なったアルゴリズムを選択し、ＵＥ１００−２に関連付けられたペア端末管理情報記憶領域３５１に記憶する（ステップＳ５７ａ）。
【００７７】
このように、異なる特徴を持つ複数の周辺セル情報の選択アルゴリズムをペア端末で分けて適用することで、２重化通信の周辺セル情報選択アルゴリズムに冗長性を持たせることができ、通信品質を向上させることができる。例えば、高速移動通信、あるいは低速移動通信に高い指向性を持つアルゴリズムの複合適用により幅広い移動形態に対応可能となる。
【００７８】
次に第６の実施の形態の移動無線通信システムを説明する。
図２０は、第６の実施の形態の移動無線通信システムの構成図である。
ここでは、図１で示した第１の実施の形態の移動無線通信システムと同じ場合、すなわち、ペア端末情報をＵＥ１００−１、１００−２が格納している場合について説明する。なお、図１５で示したペア端末情報をＭＳＣ４００が格納した場合についても同様である。また、図１で示した移動無線通信システムと同一の構成要素については同一符号として説明を省略する。
【００７９】
第６の実施の形態の移動無線通信システムにおけるＲＮＣ３００ａは、呼接続処理部３２０ａに、ペア端末であるＵＥ１００−１、１００−２からハンドオーバ要求がなされた際のハンドオーバ実行を遅延させるハンドオーバ遅延回路３２１を有している。また、端末管理情報格納部３５０ａは、ＵＥ１００−１〜ＵＥ１００−ｎのハンドオーバ中か否かなどの呼制御状態を記憶する呼制御状態情報記憶領域３５４を有する。
【００８０】
以下、第６の実施の形態の移動無線通信システムの動作を説明する。
図２１は、第６の実施の形態の移動無線通信システムの発呼時のシーケンス図である。
なお、ここでは、異なるＲＮＣの管理するノードＢ配下のセル間移動におけるハンドオーバについて示している。この場合、少なくともハンドオーバ元のＲＮＣが、図２０のＲＮＣ３００ａである。
【００８１】
ＵＥ１００−１が移動してＲＲＣプロトコルの測定結果転送信号（ＲＲＣ：Ｍｅａｓｕｒｅｍｅｎｔ  Ｒｅｐｏｒｔ）によりハンドオーバ要求を、ハンドオーバ元のＲＮＣ３００ａに送信すると（ステップＳ６０）、ＲＮＣ３００ａの呼接続処理部３２０ａは、呼制御状態情報記憶領域３５４より、ＵＥ１００−１のペア端末であるＵＥ１００−２の呼制御状態情報を抽出し、その状態を判定する（ステップＳ６１）。ＵＥ１００−２の状態がハンドオーバ中ではないとすると、ハンドオーバ元のＲＮＣ３００ａとハンドオーバ先とでハンドオーバのための無線リンク設定手順を開始する（ステップＳ６２）。そして、ハンドオーバ元のＲＮＣ３００ａの呼制御状態情報記憶領域３５４には、ＵＥ１００−１がハンドオーバ中であることを示す呼制御状態情報が記憶される（ステップＳ６３）。さらに、ＵＥ１００−２がハンドオーバ要求をハンドオーバ元のＲＮＣ３００ａに送信すると（ステップＳ６４）、ＲＮＣ３００ａの呼接続処理部３２０ａは、呼制御状態情報記憶領域３５４より、ＵＥ１００−２のペア端末であるＵＥ１００−１の呼制御状態情報を抽出し、その状態を判定する（ステップＳ６５）。ＵＥ１００−１の状態がハンドオーバ中であると判定された場合には、呼接続処理部３２０ａは、ハンドオーバ遅延回路３２１により、ＵＥ１００−２のハンドオーバの実行を遅延させる。ＵＥ１００−１の無線リンク設定手順が終了すると（ステップＳ６６）、ハンドオーバ元のＲＮＣ３００ａから、ＲＲＣプロトコルの設定変更手順のための信号（ＲＲＣ：Ｍｅｓｕｒｅｍｅｎｔ  Ｃｏｎｔｒｏｌ）により、周辺セル情報をＵＥ１００−１に送信する（ステップＳ６７）。その後、ハンドオーバ遅延回路３２１によって待機されていた、ＵＥ１００−２のハンドオーバのための無線リンク設定手順を開始する（ステップＳ６８）。
【００８２】
以上のような処理により、ハンドオーバ過程において無線同期外れに起因するペア端末の同時切断を回避することが可能となる。
次に第７の実施の形態の移動無線通信システムを説明する。
【００８３】
第７の実施の形態の移動無線通信システムは、図１または図１５で示した構成と同様である。ここでは、第１の実施の形態の移動無線通信システムと同じ場合、すなわち、ペア端末情報をＵＥ１００−１、１００−２が格納している場合の図１を用いて、第７の実施の形態の移動無線通信システムの動作について説明する。
【００８４】
図２２は、第７の実施の形態の移動無線通信システムのシーケンス図である。
ＵＥ１００−１は、自身の接続レート情報を、ＲＲＣプロトコルの測定結果転送信号（ＲＲＣ：Ｍｅａｓｕｒｅｍｅｎｔ  Ｒｅｐｏｒｔ）にてＲＮＣ３００に送信すると（ステップＳ７０）、ＲＮＣ３００は、受信したＵＥ１００−１の接続レートを変更するなどして、端末管理情報格納部３５０の接続レート情報記憶領域３５３に、ＵＥ１００−１の接続レート情報を記憶する（ステップＳ７１）。その後、ステップＳ７２〜Ｓ７６の処理で、ＵＥ１００−１との無線リンクの再構築を行う。
【００８５】
一方、ＵＥ１００−１とペア端末となるＵＥ１００−２において、端末制御部３３０は、ＵＥ１００−２の接続レート情報を参照してＵＥ１００−１の接続レートより低い場合、ＵＥ１００−２の接続レートをＵＥ１００−１の接続レートと同じに変更し、接続レート情報記憶領域３５３に、ＵＥ１００−２の接続レート情報として記憶する（ステップＳ７７）。その後、ステップＳ７８〜Ｓ８２の処理で、ＵＥ１００−２との無線リンクの再構築を行う。
【００８６】
このように、ＵＥ１００−１の接続レートをもとに、ペアの相手であるＵＥ１００−２の接続レートを確保することにより、ＵＥ１００−１の通信が切断された場合、周辺セル情報制御部３３１は、ＵＥ１００−２のハンドオーバを実施する。そのときＵＥ１００−２は既に確保されていた帯域を利用し、通信を開始することにより安定した通信が継続可能となる。また、このような第７の実施の形態の機能を、前述の第１〜第６の実施の形態の移動無線通信システムに適用することで、さらに高品質な通信が可能になる。
【００８７】
なお、上記の説明では、組となる移動端末装置が２台（ペア）の場合について説明したが、３台以上であっても同様に適用可能である。
（付記１）移動無線通信システムにおいて、
一組として同じく移動する複数の移動端末装置と、
複数の無線基地局装置と、
複数の前記移動端末装置を一組として識別し管理するための組端末管理情報を格納する格納部と、同一組に属する前記移動端末装置が、それぞれ異なる無線ゾーンに接続するように制御する制御部と、を具備した無線ネットワーク制御装置、
を有することを特徴とする移動無線通信システム。（１）
（付記２）組となる複数の前記移動端末装置は、前記組であることを示す組端末情報を格納し、前記組端末情報を前記無線ネットワーク制御装置に通知し、前記無線ネットワーク制御装置は、前記組端末情報をもとに前記組端末管理情報を生成することを特徴とする付記１記載の移動無線通信システム。（２）
（付記３）無線回線網と一般回線交換網の接続ノードである交換局装置を更に有し、
前記交換局装置は、組となる複数の前記移動端末装置が前記組であることを示す組端末情報を格納し、前記組端末情報を前記無線ネットワーク制御装置に通知し、前記無線ネットワーク制御装置は、前記組端末情報をもとに前記組端末管理情報を生成することを特徴とする付記１記載の移動無線通信システム。（３）
（付記４）前記無線ネットワーク制御装置において、前記組端末管理情報は、前記組となる複数の前記移動端末装置がそれぞれ接続する前記無線ゾーンの接続先無線ゾーン情報を有し、
前記制御部は、同一組に属する前記移動端末装置同士の前記接続先無線ゾーン情報が同一であれば、前記移動端末装置へ通知すべき前記移動端末装置周辺の無線ゾーン情報を互いに異なるものとすることを特徴する付記１記載の移動無線通信システム。（４）
（付記５）前記無線ネットワーク制御装置において、前記組端末管理情報は、前記組となる複数の前記移動端末装置がそれぞれ接続する特定の周波数帯域の前記無線ゾーンの接続先無線ゾーン情報を有し、前記制御部は、前記接続先無線ゾーン情報を参照し、同一組に属する前記移動端装置を、異なる周波数帯域の前記無線ゾーンに接続させることを特徴とする付記１記載の移動無線通信システム。
【００８８】
（付記６）前記無線ネットワーク制御装置において、前記組端末管理情報は、前記組となる複数の前記移動端末装置の優先度情報を有し、前記制御部は、前記優先度情報を参照し、優先度の異なる前記移動端装置を、異なる前記無線ゾーンに接続させることを特徴とする付記１記載の移動無線通信システム。
【００８９】
（付記７）前記無線ネットワーク制御装置において、前記組端末管理情報は、前記組となる複数の前記移動端末装置に適用する周辺無線ゾーン情報選択アルゴリズム情報を有し、前記制御部は、前記周辺無線ゾーン情報選択アルゴリズム情報を参照し、前記組となる複数の前記移動端装置に対し、異なった周辺無線ゾーン情報選択アルゴリズムを適用することを特徴とする付記１記載の移動無線通信システム。
【００９０】
（付記８）移動無線通信システムにおいて、
一組として同じく移動する複数の移動端末装置と、
複数の無線基地局装置と、
複数の前記移動端末装置を一組として識別し管理するための組端末管理情報を格納する格納部と、前記移動端末装置よりハンドオーバ要求がなされた際、同一組に属する他の前記移動端末装置がハンドオーバ中のときに前記ハンドオーバ要求に応じたハンドオーバの実行を遅延させる遅延回路と、を具備した無線ネットワーク制御装置と、
を有することを特徴とする移動無線通信システム。
【００９１】
（付記９）移動無線通信システムにおいて、
一組として同じく移動する複数の移動端末装置と、
複数の無線基地局装置と、
複数の前記移動端末装置を一組として識別し管理するための組端末管理情報を格納する格納部と、前記移動端末装置の通信レートをもとに、同一組に属する他の移動端末装置の通信レートを確保し、通信の切断時に前記他の移動端末装置で通信を継続させる制御部と、を具備した無線ネットワーク制御装置と、
を有することを特徴とする移動無線通信システム。
【００９２】
（付記１０）複数の呼接続を可能とする移動端末装置からの複数の回線接続を１つの回線として識別し、該移動端末装置の一方の回線接続をハンドオーバしている間、他方の回線接続をハンドオーバさせずに回線接続した状態にすることを特徴とする無線ネットワーク制御装置。（５）
【図面の簡単な説明】
【００９３】
【図１】第１の実施の形態の移動無線通信システムの構成図である。
【図２】複数のＵＥを一組にする構成の例を示す図であり、ＵＥを個別に設ける場合の一例を示す図である。
【図３】複数のＵＥを一組にする構成の例を示す図であり、１つのＵＥに回線接続のための機能部を複数設けた場合の一例を示す図である。
【図４】第１の実施の形態の移動無線通信システムの発呼時のシーケンス図である。
【図５】ＲＲＣ接続要求信号にＩＭＳＩを付加した様子を示す図である。
【図６】ペア端末管理情報の例である。
【図７】従来のハンドオーバ手順を用いた場合の、ペア端末のハンドオーバの様子を示す図である。（その１）
【図８】従来のハンドオーバ手順を用いた場合の、ペア端末のハンドオーバの様子を示す図である。（その２）
【図９】従来のハンドオーバ手順を用いた場合の、ペア端末のハンドオーバの様子を示す図である。（その３）
【図１０】無線リンク追加時の周辺セル情報通知のシーケンス図である。
【図１１】周辺セル情報の一例である。
【図１２】移動端末装置への周辺セル情報の通知候補を示す図である。
【図１３】無線リンク削除／追加時の周辺セル情報の例である。
【図１４】移動端末装置への周辺セル情報の通知候補を示す図である。
【図１５】第２の実施の形態の移動無線通信システムの構成図である。
【図１６】第２の実施の形態の移動無線通信システムの発呼時のシーケンス図である。
【図１７】第３の実施の形態の移動無線通信システムの発呼時のシーケンス図である。
【図１８】第５の実施の形態の移動無線通信システムの発呼時のシーケンス図である。
【図１９】ペア端末管理情報の例である。
【図２０】第６の実施の形態の移動無線通信システムの構成図である。
【図２１】第６の実施の形態の移動無線通信システムの発呼時のシーケンス図である。
【図２２】第７の実施の形態の移動無線通信システムのシーケンス図である。
【図２３】従来のＣＤＭＡ方式の移動無線通信システムの構成例である。
【図２４】ＵＥの移動に伴うハンドオーバを示す図である。
【符号の説明】
【００９４】
１００−１、１００−２、…、１００−ｎ  移動端末装置（ＵＥ）
１０１−１、１０１−２  ペア端末情報格納部
２００−１、２００−２、…、２００−ｍ  無線基地局装置（ノードＢ）
３００  無線ネットワーク制御装置（ＲＮＣ）
３１０  ＭＳＣインターフェース部
３２０  呼接続処理部
３３０  端末制御部
３３１  周辺セル情報制御部
３４０  ノードＢインターフェース部
３５０  端末管理情報格納部
３５１  ペア端末管理情報記憶領域
３５２  周辺セル情報記憶領域
３５３  接続レート情報記憶領域
４００  交換局装置（ＭＳＣ）
【図１】
2006101253.tif 000003
【図２】
2006101253.tif 000004
【図３】
2006101253.tif 000005
【図４】
2006101253.tif 000006
【図５】
2006101253.tif 000007
【図６】
2006101253.tif 000008
【図７】
2006101253.tif 000009
【図８】
2006101253.tif 000010
【図９】
2006101253.tif 000011
【図１０】
2006101253.tif 000012
【図１１】
2006101253.tif 000013
【図１２】
2006101253.tif 000014
【図１３】
2006101253.tif 000015
【図１４】
2006101253.tif 000016
【図１５】
2006101253.tif 000017
【図１６】
2006101253.tif 000018
【図１７】
2006101253.tif 000019
【図１８】
2006101253.tif 000020
【図１９】
2006101253.tif 000021
【図２０】
2006101253.tif 000022
【図２１】
2006101253.tif 000023
【図２２】
2006101253.tif 000024
【図２３】
2006101253.tif 000025
【図２４】
2006101253.tif 000026